(57)【要約】【課題】  マンホールが開放状態となった場合に、マンホールの開口部を閉塞して、通行人が落下する等の危険を回避することができるとともに、マンホールが開放状態となっていることを、通行人等に確実に報知する。【解決手段】  マンホール開口部のカバー部材１００は、マンホール２００内に収容可能で、当該マンホールの開口部から蓋部材７０を取り外した状態で、当該マンホール２００内から上方へ向かって突出させて、当該マンホール２００の開口部の上部を閉塞した状態とする。このカバー部材１００は、少なくとも上部（開閉蓋１２０）が透光性を有する部材により形成されており、側面（本体部１１０）の少なくとも一部が着色されていることが好ましい。【選択図】図１
2017218726.tif 000002
【特許請求の範囲】
【請求項１】
マンホール内に収容可能で、当該マンホールの開口部から蓋部材を取り外した状態で、当該マンホール内から上方へ向かって突出させて、当該マンホールの開口部の上部を閉塞した状態とすることを特徴とするマンホール開口部のカバー部材。
【請求項２】
少なくとも上部が透光性を有する部材により形成されており、側面の少なくとも一部が着色されていることを特徴とする請求項１に記載のマンホール開口部のカバー部材。
【請求項３】
前記マンホールの内径よりも小さな外径を有する筒状の本体部と、
前記本体部の上部に開閉可能に取り付けた開閉蓋を備えたことを特徴とする請求項１又は２に記載のマンホール開口部のカバー部材。
【発明の詳細な説明】
【技術分野】
【０００１】
本発明は、マンホール開口部のカバー部材に関し、詳しくは、マンホールの開口部を開放した際に、開口部に取り付けて閉塞するためのカバー部材に関するものである。
【背景技術】
【０００２】
マンホール内で作業を行うには、蓋部材を取り外して開口部を開放する必要がある。この際、開口部が開放状態となっているため、第三者の落下等を防止するために、マンホールが開放されていることを告知する必要がある。例えば、開放されたマンホールの周囲に柵を設置することにより、第三者がマンホールに近づくことを防止するとともに、マンホールが開放されていることを告知している。
【０００３】
また、特許文献１に記載された技術では、開放状態のマンホールから手摺り杆（掴み棒）が突出しているため、通行人等の第三者にマンホールが開放されていることを告知できるとしている。具体的には、マンホールの周壁に設置された上部の梯子本体の両側にそれぞれ縦方向に固定される一対の支持パイプと、これら支持パイプに縦杆部がそれぞれ摺動自在かつ回動自在に挿入されるとともに、縦杆部の上部を略Ｕ字状に折り返して手摺り枠が形成された一対の手摺り杆と、この手摺り杆の延出端部の間に着脱自在に掛け渡されて、延出端部同士を固定する固定部材とを備えている。そして、延出端部をマンホール上に上昇、回転させて、マンホールの周縁部に接地することにより、手摺り杆をマンホール外に設置することができるようになっている。
【先行技術文献】
【特許文献】
【０００４】
【特許文献１】特開２０００−２７３８８６号公報
【発明の概要】
【発明が解決しようとする課題】
【０００５】
しかし、特許文献１に記載された技術では、マンホールから手摺り杆（掴み棒）を突出させて、第三者にマンホールが開放されていることを告知しているが、手摺り杆（掴み棒）は棒状の部材であるため、第三者が手摺り杆（掴み棒）に気付かない場合もある。さらに、マンホールの開口部は開放されたままであり、柵等により進入及び落下を防止しているが、さらに、危険を回避するための工夫を施すことが望ましい。
【０００６】
本発明は上述した事情に鑑み提案されたもので、マンホールが開放状態となった場合に、マンホールの開口部を閉塞して、通行人が落下する等の危険を回避することができるとともに、マンホールが開放状態となっていることを、通行人等に確実に報知することができるマンホール開口部のカバー部材を提供することを目的とする。
【課題を解決するための手段】
【０００７】
本発明に係るマンホール開口部のカバー部材は、上述した事情に鑑み提案されたもので、以下の特徴点を有している。すなわち、本発明に係るマンホール開口部のカバー部材は、マンホール内に収容可能で、当該マンホールの開口部から蓋部材を取り外した状態で、当該マンホール内から上方へ向かって突出させて、当該マンホールの開口部の上部を閉塞した状態とすることを特徴とするものである。
【０００８】
また、上述した構成からなるマンホール開口部のカバー部材において、少なくとも上部が透光性を有する部材により形成されており、側面の少なくとも一部が着色されていることが好ましい。
【０００９】
また、上述した構成からなるマンホール開口部のカバー部材において、マンホールの内径よりも小さな外径を有する筒状の本体部と、本体部の上部に開閉可能に取り付けた開閉蓋を備えた構成とすることが好ましい。
【発明の効果】
【００１０】
本発明に係るマンホール開口部のカバー部材によれば、マンホールを開放状態とした際に、マンホール内からカバー部材を取り出して、マンホールの開口部を閉塞することにより、第三者が落下する等の危険を回避することができる。
【００１１】
また、カバー部材の上部を、透光性を有する部材とすることにより、開口部にカバー部材を取り付けても、マンホール内の照度を保つことができる。また、カバー部材の側面を着色することにより、マンホールが開放状態となっていることを、通行人等に確実に報知することができる。
【００１２】
さらに、カバー部材の上部に開閉蓋を設けることにより、マンホールの開口部にカバー部材を取り付けたまま、作業者がマンホール内へ出入したり、工具を出し入れしたりすることができる。
【図面の簡単な説明】
【００１３】
【図１】本発明の実施形態に係るマンホール開口部のカバー部材の概略斜視図。
【図２】本発明の実施形態に係るマンホール開口部のカバー部材の平面図。
【図３】本発明の実施形態に係るマンホール開口部のカバー部材の収納状態の説明図。
【図４】本発明の実施形態に係るマンホール開口部のカバー部材の使用状態の説明図。
【図５】マンホールの出入補助装置の説明図。
【発明を実施するための形態】
【００１４】
以下、図面を参照して、本発明の実施形態に係るマンホール開口部のカバー部材について説明する。図１〜図４は本発明の実施形態に係るマンホール開口部のカバー部材を説明するもので、図１はカバー部材の概略斜視図、図２はカバー部材の平面図、図３はカバー部材の収納状態の説明図、図４はカバー部材の使用状態の説明図である。また、図５はマンホールの出入補助装置の説明図である。
【００１５】
＜マンホール開口部のカバー部材の概要＞
本発明の実施形態に係るマンホール開口部のカバー部材は、マンホールの開口部を開放状態とした際に、開口部を閉塞するとともに、第三者にマンホールの開口部が開口状態となっていることを報知するための部材である。
【００１６】
＜カバー部材＞
マンホール２００内で作業を行うには、蓋部材７０を取り外して開口部を開放する必要がある。この際、開口部が開放状態となっているため、第三者の落下等を防止するために、マンホール２００が開放されていることを告知する必要がある。例えば、開放されたマンホール２００の周囲に柵を設置することにより、第三者がマンホール２００に近づくことを防止するとともに、マンホール２００が開放されていることを告知している。本実施形態のカバー部材１００は、マンホール２００の開口部が開放状態となっている場合に、開口部を閉塞して、第三者がマンホール２００に落下する等の事故を未然に防止するとともに、マンホール２００内への雨水等の浸入を最小限とするための部材である。
【００１７】
本実施形態のカバー部材１００は、図３及び図４に示すように、常時は、マンホール２００内に収納されており、マンホール２００の開口部から蓋部材７０を取り外した状態で、マンホール２００から上方へ向かって突出させて、マンホール２００の開口部の上部を閉塞するようになっている。このカバー部材１００は、図１〜図４に示すように、本体部１１０と開閉蓋１２０とからなる。本体部１１０はマンホール２００の内径よりも若干小さい外径を有する筒状の部材であり、開閉蓋１２０は本体部１１０の上端部に開閉可能に取り付けた部材である。
【００１８】
＜本体部＞
本体部１１０は、例えば、アルミ材により形成された筒状の部材であり、軽量化を図るために複数のパンチング孔を開口してある。また、図１及び図３に示すように、本体部１１０の下部には、梯子２０の上部を避けて本体部１１０をマンホール２００内に収納するための梯子開口部１３０と、マンホール２００の内壁面に設けた支持突起１４０を避けて本体部１１０をマンホール２００内に収納するための支持突起開口部１５０とを設けてある。なお、梯子２０の最上部の上端面と支持突起１４０の上端面が同一の高さとなるように設定してあるため、梯子開口部１３０の上端面と支持開口部１５０の上端面も同一の高さとなっている。
【００１９】
また、本体部１１０の下部内周面には、本体部１１０を操作するための操作取っ手１７０を取り付けてある。また、マンホール２００の開口部にカバー部材１００を取り付けていることを報知するために、本体部１１０の外周面はアクリル塗料等で着色してある。塗装色は特に限定されないが、第三者に注意を喚起するため、黄色、赤色、蛍光色等であることが好ましい。また、着色に代えて、あるいは着色とともに反射部材を取り付けてもよい。
【００２０】
＜開閉蓋＞
開閉蓋１２０は、図１及び図２に示すように、本体部１１０の上端開放面を開閉するための板状の部材からなり、蝶番を用いて本体部１１０に開閉可能に取り付けてある。この開閉蓋１２０は、例えば透光性を有するアクリル樹脂により形成されている。このように、カバー部材１００の上面（開閉蓋１２０）が透光性を有しているため、マンホール２００内の照度を保つことができる。また、開閉蓋１２０の上面には、開閉蓋１２０を操作するための取っ手１６０を取り付けてある。
【００２１】
＜カバー部材の着脱＞
マンホール２００の開口部を開放状態としたら、図４に示すように、マンホール２００内に収容したカバー部材１００を引き出し、カバー部材１００を水平方向に回転させる。カバー部材１００の回転角度は、梯子開口部１３０が梯子２０の位置から外れるとともに、支持突起開口部１５０が支持突起１４０の位置から外れる角度である。この状態では、カバー部材１００の下端部を梯子２０及び支持突起１４０の上部に載置した状態となるので、カバー部材１００がマンホール２００から突出した状態で、マンホール２００の開口部の上部を閉塞することができる。
【００２２】
そして、開閉蓋１２０を開状態とすることにより、作業者がマンホール２００内へ出入したり、工具を出し入れしたりすることができる。また、開閉蓋１２０を閉状態とすることにより、マンホール２００の開口部を閉塞して、雨水等の侵入を最小限とすることができる。カバー部材１００の側面（本体部１１０）は着色されているので、マンホール２００が開放状態となっていることを、通行人等に確実に報知することができる。
【００２３】
マンホール２００内での作業が終了したら、梯子開口部１３０が梯子２０の位置となり、支持突起開口部１５０が支持突起１４０の位置となるようにカバー部材１００を回転させて、カバー部材１００をマンホール２００内に収納する。この状態では、図３及び図５に示すように、梯子開口部１３０の上部が梯子２０に載置され、支持突起開口部１５０の上部が支持突起１４０に載置される。
【００２４】
＜カバー部材の作用効果＞
カバー部材１００を設けることにより、マンホール２００を開放状態とした際に、マンホール２００内からカバー部材１００を取り出して、マンホール２００の開口部を閉塞し、通行人等の落下を防止することができる。
【００２５】
また、カバー部材１００の上部を、透光性を有する部材とすることにより、開口部にカバー部材１００を取り付けても、マンホール２００内の照度を保つことができる。また、カバー部材１００の側面を着色することにより、マンホール２００が開放状態となっていることを、通行人等に確実に報知することができる。さらに、カバー部材１００の上部に開閉蓋１２０を設けることにより、マンホール２００の開口部にカバー部材１００を取り付けたまま、作業者がマンホール２００内へ出入したり、工具を出し入れしたりすることができる。
【００２６】
＜マンホールの出入補助装置＞
マンホール２００は、作業者等が点検や種々の作業のために出入りする縦穴である。このため、マンホール２００への出入補助のために種々の装置を設けてある。本実施形態のマンホール２００には、図５に示すように、掴み棒１０や梯子２０等の出入補助装置が設けてある。具体的には、マンホールの出入補助装置として、掴み棒１０と、梯子２０の上部付近に設置され、掴み棒１０を収容する収納部３０と、収納部３０の底部に設置され、掴み棒１０を上方へ向かって押し出す押出部材４０と、収納部３０の近傍に設置され、掴み棒１０をマンホール２００から突出した状態で固定する固定部５０と、掴み棒１０をマンホール２００内に繋ぎ止める繋留部材６０とを備えている。
【００２７】
＜掴み棒＞
掴み棒１０は、図５に示すように、マンホール２００内に設置した複数段の梯子２０の上方に設置することにより、マンホール２００に出入する作業者の手掛けとなる部材である。そして、マンホール２００内にカバー部材１００を収納した状態では、掴み棒１０の上端部が開閉蓋１２０の下面に突き当たり、掴み棒１０が梯子２０の上部付近に設置された収納部３０内に収納されている。そして、図４に示すように、マンホール２００内から上方へ向かってカバー部材１００を取り出すと、掴み棒１０が収納部３０に設けた押出部材４０の押出力により収納部３０内から突出して、作業者が手に取ることができる。
【００２８】
この掴み棒１０は、角筒状の棒材からなり、下端部は先細り状となっている。掴み棒１０の長さは、マンホール２００内にカバー部材１００を収納した状態で収納部３０内に収納されるとともに、マンホール２００内から上方へ向かってカバー部材を取り出した状態で、マンホール２００から上端部が突出するように設定されている。なお、掴み棒１０の形状は角筒状に限られず、円筒状等であってもよい。
【００２９】
＜収納部／押出部材＞
収納部３０は、図５に示すように、掴み棒１０を収納するための部材であり、掴み棒１０の外径よりも若干大きな内径を有する筒状の部材からなり、底部は閉塞されている。また、収納部３０内には、掴み棒１０を上方へ向かって押し出す押出部材４０を設置してある。押出部材４０は、例えば、弦巻バネからなり、その押出力により、掴み棒１０を上方へ向かって押し出すことができる。押出部材４０による掴み棒１０の押出量は、掴み棒１０の上端部がマンホール２００内から若干突出する程度であり、掴み棒１０の長さや重量により、適宜な押出力を設定する。また、押出部材４０は弦巻バネに限られず、掴み棒１０を収納部３０内から押し出すことが可能な他の部材を用いることができる。
【００３０】
＜固定部＞
固定部５０は、図５に示すように、収納部３０の近傍に設置され、収納部３０から取り出した掴み棒１０をマンホール２００から突出した状態で固定するための部材である。この固定部５０は、掴み棒１０の外径よりも若干大きな内径を有する筒状の部材からなり、掴み棒１０の下端部を支持する支持部５１を設けてある。固定部５０の深さ（上端開放面から支持部５１までの深さ）は、掴み棒１０がマンホール２００内から適宜長さだけ突出するように設定してある。掴み棒１０の突出長さは、梯子２０を昇降する作業者が手がかりとして使用できるとともに、マンホール２００から突出しても邪魔にならないように設定する。
【００３１】
＜繋留部材＞
掴み棒１０と固定部５０との間には、掴み棒１０をマンホール２００内に繋ぎ止めるための繋留部材６０を設けてある。この繋留部材６０は、図５に示すように、例えば、チェーンからなり、掴み棒１０を収納部３０と固定部５０との間で移動させる際に、万が一、作業者の手から掴み棒１０が離れ、あるいは収納部３０や固定部５０から掴み棒１０が外れたとしても、掴み棒１０がマンホール２００内に落下することを防止するようになっている。掴み棒１０はチェーンに限られず、掴み棒１０をマンホール２００内に繋ぎ止めることができるとともに、掴み棒１０の着脱を阻害しなければ、どのような部材を用いてもよい。
【００３２】
＜掴み棒の着脱＞
図５に示すように、マンホール２００内にカバー部材１００を収納した状態では、掴み棒１０が押出部材４０の押出力に抗して収納部３０内に収納されている。そして、図４に示すように、作業者がマンホール２００内で作業を行うために、マンホール２００内から上方へ向かってカバー部材１００を取り出すと、掴み棒１０が押出部材４０の押出力により収納部３０内から突出する。次いで、作業者は収納部３０から突出した掴み棒１０の上端部を持って収納部３０から引き出し、固定部５０に差し替える。掴み棒１０を固定部５０に固定したら、作業者は掴み棒１０に手を掛けながら梯子２０に足を掛けて、マンホール２００内に入る。
【００３３】
また、マンホール２００内での作業が終了したら、固定部５０に固定した掴み棒１０を収納部３０へ移動させ、押出部材４０の押出力に抗して掴み棒１０を収納部３０内に収納し、マンホール２００内にカバー部材１００を収納する。掴み棒１０を着脱する際に、繋留部材６０により掴み棒１０が固定部５０に繋ぎ止められているため、万が一、作業者の手から掴み棒１０が離れ、あるいは収納部３０や固定部５０から掴み棒１０が外れたとしても、掴み棒１０がマンホール２００内に落下することはない。
【符号の説明】
【００３４】
１００  カバー部材
１１０  本体部
１２０  開閉蓋
１３０  梯子開口部
１４０  支持突起
１５０  支持突起開口部
１６０  取っ手
１７０  操作取っ手
２００  マンホール
１０  掴み棒
２０  梯子
３０  収納部
４０  押出部材
５０  固定部
５１  支持部
６０  繋留部材
７０  蓋部材
【図１】
2017218726.tif 000003
【図２】
2017218726.tif 000004
【図３】
2017218726.tif 000005
【図４】
2017218726.tif 000006
【図５】
2017218726.tif 000007